(57)【特許請求の範囲】
【請求項１】
複数の電路を有して、個々の電路にバイメタル片を備えて熱動形或いは熱動電磁形の引き外し構造を具備し、前記バイメタル片が過電流発生を受けて掛合する掛合片とのギャップを調整ねじにより調整可能とした回路遮断器のバイメタル調整構造であって、
前記バイメタル片の基部を前記電路上の導体バーに固着する一方、先端を前記掛合片に掛合する自由端とし、
バイメタル片固着部、或いはその近傍の導体バーを前記調整ねじの押圧部とし、前記調整ねじを進退させて前記ギャップを変更可能とすると共に、個々の電路の前記押圧部を並設させて、前記調整ねじと全ての押圧部の間に１枚の連動板を介在させ、
１つの調整ねじの進退動作により全ての押圧部を操作して前記ギャップの一斉調整を可能としたことを特徴とする回路遮断器のバイメタル調整構造。
【請求項２】
遮断器ケース前面に負荷側端子、背面に電源側端子を配置して、負荷側端子に接続された電路としての導体バーを後方に向けて遮断器ケース内底部に配設し、前記導体バーの延設した先端部を上方に起立させて、その先端にバイメタル片を固着し、前記導体バー起立部を押圧部として後方から調整ねじで押圧する請求項１記載の回路遮断器のバイメタル調整構造。
【発明の詳細な説明】
【技術分野】
【０００１】
本発明は回路遮断器の遮断特性を調整する調整構造に関し、特にバイメタル片を備えた回路遮断器のバイメタル調整構造に関する。
【背景技術】
【０００２】
回路遮断器の引き外し方式には、熱動形、熱動電磁形、完全電磁形、電子式等があり、このうち熱動形、熱動電磁形にはバイメタル片が使用されている。バイメタル片を用いた引き外し機構は、バイメタルの熱変形による湾曲作用を利用してラッチを解除させ、遮断動作させているが、このバイメタルを使用した構造は、遮断動作特性にばらつきが発生し易いため、製造段階でバイメタル片と掛合片の隙間（ギャップ）を調整してばらつきを無くす作業を必要としている。
この調整はねじを使用して行われ、掛合片側にねじを取り付けてギャップを調整する構成（例えば、特許文献１参照）、或いはねじによりバイメタル片の傾きを変えてギャップを調整（例えば、特許文献２参照）する構成が広く実施されている。
【０００３】
【特許文献１】特開平７−２２０６０７号公報
【特許文献２】特開２０００−２９４１１０号公報
【発明の開示】
【発明が解決しようとする課題】
【０００４】
しかし、上記調整行程は、バイメタル片毎にねじを使って調整されるため、２極の回路遮断器の場合は２個のねじの調整が必要であったし、３極の構成の場合は３個のねじの調整が必要であり、調整行程に時間を要していた。また、複数の極を有する構成の場合、全体の遮断特性が規格を満足している場合でも、個々のバイメタル片においては動作特性が範囲から外れて、早く動作したり遅く動作する場合があり、定格電流値の１００％の通電でトリップ動作してしまったり、遮断動作不良を起こす可能性があった。
【０００５】
そこで、本発明はこのような問題点に鑑み、バイメタルを複数備えた複数極回路遮断器であってもバイメタル片の位置調整を単極の回路遮断器の場合と同様に実施でき、さらに極間の動作ばらつきを低減できる回路遮断器のバイメタル調整構造を提供することを目的とする。
【課題を解決するための手段】
【０００６】
上記課題を解決する為に、請求項１の発明は、複数の電路を有して、個々の電路にバイメタル片を備えて熱動形或いは熱動電磁形の引き外し構造を具備し、前記バイメタル片が過電流発生を受けて掛合する掛合片とのギャップを調整ねじにより調整可能とした回路遮断器のバイメタル調整構造であって、前記バイメタル片の基部を前記電路上の導体バーに固着する一方、先端を前記掛合片に掛合する自由端とし、バイメタル片固着部、或いはその近傍の導体バーを前記調整ねじの押圧部とし、前記調整ねじを進退させて前記ギャップを変更可能とすると共に、個々の電路の前記押圧部を並設させて、前記調整ねじと全ての押圧部の間に１枚の連動板を介在させ、１つの調整ねじの進退動作により全ての押圧部を操作して前記ギャップの一斉調整を可能としたことを特徴とする。
この構成によれば、複数のバイメタル片の調整を１つの調整ねじで行うことができ、調整時間を短縮できる。また、全ての押圧部に同一の力を加えることができ、個々のバイメタル片と掛合片との掛合動作に大きな差異が発生し難くなり、独立して調整していた時のように、１つだけ極端に早く動作したり遅く動作するようなことが無くなる。そして、調整ねじを１つにすることで、調整ねじスペースを削減できる。
【０００７】
請求項２の発明は、請求項１記載の発明において、遮断器ケース前面に負荷側端子、背面に電源側端子を配置して、負荷側端子に接続された電路としての導体バーを後方に向けて遮断器ケース内底部に配設し、前記導体バーの延設した先端部を上方に起立させて、その先端にバイメタル片を固着し、前記導体バー起立部を押圧部として後方から調整ねじで押圧することを特徴とする。
この構成によれば、ケース背部からバイメタル片のギャップを調整でき、簡易な操作で調整できる。また、ケース背部の下端部に調整ねじを配置できるので、最小限のスペースで調整ねじをケースに組み付けできる。
【発明の効果】
【０００８】
本発明によれば、複数のバイメタル片の調整を１つの調整ねじで行うことができ、調整時間を短縮できる。また、全ての押圧部に同一の力を加えることができ、個々のバイメタル片と掛合片との掛合動作に大きな差異が発生し難くなり、独立して調整していた時のように、１つだけ極端に早く動作したり遅く動作するようなことが無くなる。
【発明を実施するための最良の形態】
【０００９】
以下、本発明を具体化した実施の形態を、図面に基づいて詳細に説明する。図１は本発明に係るバイメタル調整構造を備えた熱動電磁形の回路遮断器の縦断面説明図であり、１は電源側端子、２は負荷側端子、３は電路を開閉操作する操作ハンドル、４は可動接触子５と固定接触子６から成る開閉接点部、７は操作ハンドル３の操作を受けて開閉接点部４を開閉操作すると共に異常電流検知を受けて電路を遮断操作する開閉機構部、８は過電流を検知するためのバイメタル片、９はバイメタル片８の掛合動作により開閉機構部７を遮断動作させるための掛合片、１０はバイメタル片８と掛合片９の間の隙間（ギャップＧ）を調整する調整ねじ、１１は調整ねじ１０の押圧力をバイメタル片８に伝達する連動板、１２は短絡電流を検知する可動鉄片１２ａを備えた電磁引き外し素子、１３は遮断器ケース（以下、単にケースと称する）である。
【００１０】
尚、この回路遮断器は２本の電路を有する２極形回路遮断器を示すもので、電源側端子１、負荷側端子２、開閉接点部４、バイメタル片８は、何れも対で設けられている。そして、負荷側端子２を設けた図面右側を前方、電源側端子１を設けた図面左側を後方、操作ハンドル３取付部を上部として以下説明する。
【００１１】
可動接触子５及び固定接触子６は上下方向に配設され、上部に接点（可動接点５ａ、固定接点６ａ）が設けられている。可動接触子５は下端部を支点として上部が前後に揺動可能に設置され、可撓導線１６によりバイメタル片８に接続されている。一方、固定接触子６は電源側端子１の端子金具と一体に形成され、ケース１３内に固定されている。
そして、可動接触子５は、開閉機構部７の開閉操作を受けて前後動し、可動接点５ａと固定接点６ａとの間で接触／解離を行い、電路の通電／遮断が行われる。
【００１２】
バイメタル片８は前後方向に配設され、後方基端部が負荷側端子２の端子金具から延設された導体バー１７に溶接され、自由端とした先端が斜め上方に向けて配設されている。可撓導線１６はそのバイメタル片８の途中に溶接され、バイメタル片８が電路の一部を構成している。一方、バイメタル片８が掛合する掛合片９は、バイメタル片８が接触する第１掛合部９ａと、電磁引き外し素子１２が接触する第２係合部９ｂを備えている。
【００１３】
図２は導体バー１７に連結されたバイメタル片８と連動板１１を抜き出した背面視説明図であり、一対の導体バー１７，１７及びバイメタル片８，８が左右に並設され、連動板１１はこの一対の導体バー１７，１７を覆う幅を有し、中央に調整ねじ１０の先端が当接するよう構成されている。
【００１４】
導体バー１７は、負荷側端子２からケース１３の内底部に配設されて後方に延設され、その先端にバイメタル片８が溶接されている。この導体バー１７の先端部は、上方に折り曲げた起立部１７ａを有し、その後方向に更に折り曲げられ、全体が鉤状に折り曲げ形成されている。この後方に折り曲げられた先端の平坦部にバイメタル片８が溶接されている。
【００１５】
連動板１１は棒状に形成された絶縁体であり、導体バー１７の起立部１７ａに後方から当接するように配置されている。調整ねじ１０が螺入操作されたら、導体バー１７の起立部１７ａを前方に押圧する。こうして押圧された導体バー１７は、起立部１７ａの上部が前方に傾倒するため、導体バー１７の先端に取り付けられたバイメタル片８が連動して傾倒動作する。その結果、前方に延びた先端が下方に傾倒し、掛合片９との間のギャップＧが小さくなる。そして、この動作は、左右のバイメタル片８，８に対して同時に成される。
【００１６】
調整ねじ１０は、電源側端子１の下部に前方に向けて配置され、ケース１３内に組み付けられたナット１８に螺入支持され、調整ねじ１０自体もケース１３内に埋設するように組み付けられている。そして、ケース１３の背面には、調整ねじ１０を回転操作して進退させる為の操作孔１９が設けられている。
【００１７】
このように構成された回路遮断器は次のようにの動作する。図１に示すオフ状態から操作ハンドル３を後方に回動してオン操作すると、開閉機構部７が可動接触子５を操作して固定接触子６に接触させ、回路遮断器はオン状態となる。この状態は開閉機能部７内のラッチ機構の作用で維持され、電路に異常電流が流れるとラッチが解除されて開閉機構部７は遮断動作する。この異常電流のうち、過電流に対してはバイメタル片８が変形（湾曲）することで検知され、変形して掛合片９の第１係合部９ａに当接すると掛合片９が回動し、ラッチが解除されて遮断動作する。また、短絡電流に対しては、電磁引き外し素子１２が動作して、可動鉄片１２ａが掛合片９の第２掛合部９ｂに掛合し、過電流発生の場合と同様にラッチが解除されて遮断動作する。
【００１８】
このように、複数のバイメタル片の調整を１つの調整ねじで行うことができ、調整時間を短縮できる。また、連動板の作用により全ての押圧部に同一の力を加えることができ、個々のバイメタル片と掛合片との掛合動作に大きな差異が発生し難くなり、独立して調整していた時のように、１つだけ極端に早く動作したり遅く動作するようなことが無くなる。そして、調整ねじを１つにすることで、調整ねじスペースを削減できる。
更に、ケース背部からバイメタル片のギャップを調整でき、簡易な操作で調整できるし、ケース背部の下端部に調整ねじを配置できるので、最小限のスペースで調整ねじを組み付けでき、ケース内部空間を無駄なく利用できる。
【００１９】
尚、上記実施形態は、２極形回路遮断器の場合を説明したが、３極形回路遮断器の場合も同様であり、３つの導体バー１７及びバイメタル片８を並設して、それら全ての導体バー１７を覆うように連動板１１を配置し、連動板１１の中央に調整ねじ１０を配置すればよい。また、調整ねじ１０をケース１３背部から調整する構成としているが、調整ねじ１０を上向きに配置して、水平なバイメタル片８連結部を上方に押圧するようにしても良い。この場合は、操作孔１９はケース１３底部に設けることになる。
【図面の簡単な説明】
【００２０】
【図１】本発明に係るバイメタル調整構造の一例を示す回路遮断器の断面説明図である。
【図２】図１のバイメタル片と導体バーと連動板を抜き出した背面視説明図である。
【符号の説明】
【００２１】
１・・電源側端子、２・・負荷側端子、８・・バイメタル片、９・・掛合片、１０・・調整ねじ、１１・・連動板、１３・・遮断器ケース、１７・・導体バー、１７ａ・・起立部（押圧部）。
【図１】
0005032270.tif 000002
【図２】
0005032270.tif 000003